(57)【要約】【課題】コンデンサの寄生インピーダンスをキャンセルし、大電流アプリケーションに適用しても損失を低減できるノイズフィルタを提供する。【解決手段】ノイズフィルタ１０は、第１入力端子Ｐ１ｉに一方端を接続する第１インダクタンス成分Ｌ１と、第１インダクタンス成分Ｌ１の他方端と第２出力端子Ｐ２ｏとの間に接続する第１コンデンサＣ１と、第２入力端子Ｐ２ｉと第１出力端子Ｐ１ｏとの間に接続される第２コンデンサＣ２と、抵抗成分Ｒ１，Ｒ２と、第２インダクタンス成分Ｌ２，Ｌ５と、第３インダクタンス成分Ｌ３，Ｌ６とを備える。抵抗成分Ｒ１，Ｒ２、第２インダクタンス成分Ｌ２，Ｌ５および第３インダクタンス成分Ｌ３，Ｌ６は、第１インダクタンス成分Ｌ１の他方端と第１出力端子Ｐ１ｏとの間、および、第２入力端子Ｐ２ｉと第２出力端子Ｐ２ｏとの間にそれぞれ接続する。【選択図】図１
2010273207.tif 000002
【特許請求の範囲】
【請求項１】
一対の入力端子と一対の出力端子との間に接続されるノイズフィルタにおいて、
第１入力端子に一方端を接続する第１インダクタンス成分と、
前記第１インダクタンス成分の他方端と第２出力端子との間に接続する第１コンデンサと、
第２入力端子と第１出力端子との間に接続され、前記第１コンデンサと同一のインピーダンス特性を有する第２コンデンサと、
前記第１コンデンサおよび前記第２コンデンサの等価直列抵抗と同一の抵抗値を有する抵抗成分と、
前記抵抗成分と並列に接続する第２インダクタンス成分と、
前記抵抗成分と直列に接続し、前記第１コンデンサおよび前記第２コンデンサの等価直列インダクタンスと同一のインダクタンス値を有する第３インダクタンス成分と、
を備え、
前記抵抗成分、前記第２インダクタンス成分および前記第３インダクタンス成分は、前記第１インダクタンス成分の他方端と前記第１出力端子との間、および、前記第２入力端子と前記第２出力端子との間にそれぞれ接続することを特徴とするノイズフィルタ。
【請求項２】
一対の入力端子と一対の出力端子との間に接続されるノイズフィルタにおいて、
第１入力端子に一方端を接続する第１インダクタンス成分と、
第１出力端子に一方端を接続する第４インダクタンス成分と、
前記第１インダクタンス成分の他方端と第２出力端子との間に接続する第１コンデンサと、
第２入力端子と前記第４インダクタンス成分の他方端との間に接続され、前記第１コンデンサと同一のインピーダンス特性を有する第２コンデンサと、
前記第１コンデンサおよび前記第２コンデンサの等価直列抵抗と同一の抵抗値を有する抵抗成分と、
前記抵抗成分と並列に接続する第２インダクタンス成分と、
前記抵抗成分と直列に接続し、前記第１コンデンサおよび前記第２コンデンサの等価直列インダクタンスと同一のインダクタンス値を有する第３インダクタンス成分と、
を備え、
前記抵抗成分、前記第２インダクタンス成分および前記第３インダクタンス成分は、前記第１インダクタンス成分の他方端と前記第４インダクタンス成分の他方端との間、および、前記第２入力端子と前記第２出力端子との間にそれぞれ接続することを特徴とするノイズフィルタ。
【請求項３】
インダクタンス成分を配線または基板パターンで形成することを特徴とする請求項１または２に記載のノイズフィルタ。
【請求項４】
前記抵抗成分は、配線または基板パターンで形成することを特徴とする請求項１から３のいずれか一項に記載のノイズフィルタ。
【請求項５】
所定の周波数帯域において、前記抵抗成分のインピーダンスが前記第２インダクタンス成分のインピーダンス以下となるように設定することを特徴とする請求項１から４のいずれか一項に記載のノイズフィルタ。
【発明の詳細な説明】
【技術分野】
【０００１】
本発明は、一対の入力端子と一対の出力端子との間に接続され、入力されるノイズを除去するノイズフィルタに関する。
【背景技術】
【０００２】
インバータやコンバータ等の電力変換回路では、制御時のスイッチング動作に伴い脈動成分であるノイズが発生する。そのノイズが配線を介して共通接続される他機器に流出し、悪影響を与えることが問題となるため、ノイズの抑制手段としてノイズフィルタが用いられている。一般的には図８に示すように、コイルＬａとコンデンサＣａとを直列接続し、コンデンサＣａの両端を出力するＬＣフィルタ５０が用いられる。ＬＣフィルタ５０をモデル化すると、図９のようになる。図９には、第１入力端子Ｐ１ｉと第２入力端子Ｐ２ｉとの間にはインピーダンスＺＬのコイルＬａとインピーダンスＺｃのコンデンサＣａが直列接続され、コンデンサＣａの両端にはインピーダンスＺｏの負荷が接続される。
【０００３】
ＬＣフィルタ５０のノイズ低減効果Ｇｆは、第１入力端子Ｐ１ｉと第２入力端子Ｐ２ｉとの間に入力される入力電圧Ｖｎと、インピーダンスＺｏに印加される出力電圧Ｖｏとを用いると、下記の式１で表される。ただし、ノイズが問題となる周波数領域におけるインピーダンスＺｃ，Ｚｏの関係はＺｃ＜＜Ｚｏである。この式１を、コイルＬａとコンデンサＣａとのインピーダンスの比で表すと、下記の式２のようになる。
Ｇｆ＝｜Ｖｏ／Ｖｎ｜…（式１）
Ｇｆ＝｜ＺＬ／（ＺＬ＋Ｚｃ）｜…（式２）
【０００４】
所望のノイズ低減効果Ｇｆを得るためには、理想的には所望のインピーダンス比となるコイルＬａとコンデンサＣａの定数を選択するのみで良い。ところが、実際の部品（素子）には寄生インピーダンス成分が存在する。この寄生インピーダンス成分を含めた等価回路を図１０に示す。図１０（Ａ）にはコンデンサＣａの等価回路を示し、図１０（Ｂ）にはコイルＬａの等価回路を示す。コンデンサＣａは、等価直列抵抗Ｒcaと等価直列インダクタンスＬcaとを有する。コイルＬａは、等価並列抵抗ＲLaと等価並列コンデンサＣLaとを有する。特にノイズが多く発生しやすい数百ｋＨｚ帯では、コンデンサの等価直列抵抗（以下では「ＥＳＲ」とも呼ぶ。）および寄生直列インダクタンス（以下では「ＥＳＬ」とも呼ぶ。）の影響が大きい。図１０（Ａ）の例では、等価直列抵抗ＲcaがＥＳＲに相当し、等価直列インダクタンスＬcaがＥＳＬに相当する。この影響から、図８に示すＬＣフィルタ５０をそのまま用いたのでは、理想状態から大きく悪化した低減効果しか得られない。
【０００５】
従来では、問題となるコンデンサが有する寄生インピーダンスを低減する技術の一例が開示されている（例えば非特許文献１を参照）。当該非特許文献１に記載された技術では、図１１に示すような回路を構成する。この回路構成では、コンデンサのＥＳＲおよびＥＳＬと同じインピーダンス成分（図１１に示す上下二組のインダクタンス成分Ｌadおよび抵抗成分Ｒad）を直列に付加することでＥＳＲとＥＳＬをキャンセルしている。ここで図１２（Ａ）に示すように、周波数の高い領域でＥＳＬを一定にすると、周波数の低い領域でインピーダンスを小さくするにはコンデンサＣａの静電容量を大きくする必要がある。逆に図１２（Ｂ）に示すように、周波数の低い領域でコンデンサＣａの静電容量を一定にすると、周波数の高い領域でインピーダンスを小さくするにはＥＳＬを小さくする必要がある。さらに図１２（Ｃ）に示すように、周波数の低い領域でコンデンサＣａの静電容量を一定にし、周波数の高い領域でＥＳＬを一定にすると、共振周波数においてＥＳＲの減少とともにインピーダンスも小さくなる。
【先行技術文献】
【特許文献】
【０００６】
【非特許文献１】Cancellation of Capacitor Parasitic Parameters for Noise Reduction Application IEEE Trans. on power electronics, Vol.21, No.4, July 2006
【発明の概要】
【発明が解決しようとする課題】
【０００７】
しかし、非特許文献１に記載された技術では抵抗成分Ｒadを直列に付加する（図１１を参照）。この抵抗成分Ｒadに電流Ｉが流れると、損失（ＲadＩ2）が生じる。特に大電流アプリケーションでは電流Ｉが大きいため、損失も飛躍的に大きくなるという問題がある。
【０００８】
本発明はこのような点に鑑みてなしたものであり、コンデンサの寄生インピーダンスをキャンセルし、大電流アプリケーションに適用しても損失を低減できるノイズフィルタを提供することを目的とする。
【課題を解決するための手段】
【０００９】
上記課題を解決するためになされた請求項１に記載の発明は、一対の入力端子と一対の出力端子との間に接続されるノイズフィルタにおいて、第１入力端子に一方端を接続する第１インダクタンス成分と、前記第１インダクタンス成分の他方端と第２出力端子との間に接続する第１コンデンサと、第２入力端子と第１出力端子との間に接続され、前記第１コンデンサと同一のインピーダンス特性を有する第２コンデンサと、前記第１コンデンサおよび前記第２コンデンサの等価直列抵抗と同一の抵抗値を有する抵抗成分と、前記抵抗成分と並列に接続する第２インダクタンス成分と、前記抵抗成分と直列に接続し、前記第１コンデンサおよび前記第２コンデンサの等価直列インダクタンスと同一のインダクタンス値を有する第３インダクタンス成分と、を備え、前記抵抗成分、前記第２インダクタンス成分および前記第３インダクタンス成分は、前記第１インダクタンス成分の他方端と前記第１出力端子との間、および、前記第２入力端子と前記第２出力端子との間にそれぞれ接続することを特徴とする。
【００１０】
この構成によれば、低周波成分は第２インダクタンス成分を通り、高周波成分は抵抗成分を通る。したがって、寄生インピーダンスのキャンセル効果を損なうことなく、抵抗成分における損失を大幅に低減することができる。
【００１１】
請求項２に記載の発明は、一対の入力端子と一対の出力端子との間に接続されるノイズフィルタにおいて、第１入力端子に一方端を接続する第１インダクタンス成分と、第１出力端子に一方端を接続する第４インダクタンス成分と、前記第１インダクタンス成分の他方端と第２出力端子との間に接続する第１コンデンサと、第２入力端子と前記第４インダクタンス成分の他方端との間に接続され、前記第１コンデンサと同一のインピーダンス特性を有する第２コンデンサと、前記第１コンデンサおよび前記第２コンデンサの等価直列抵抗と同一の抵抗値を有する抵抗成分と、前記抵抗成分と並列に接続する第２インダクタンス成分と、前記抵抗成分と直列に接続し、前記第１コンデンサおよび前記第２コンデンサの等価直列インダクタンスと同一のインダクタンス値を有する第３インダクタンス成分と、を備え、前記抵抗成分、前記第２インダクタンス成分および前記第３インダクタンス成分は、前記第１インダクタンス成分の他方端と前記第４インダクタンス成分の他方端との間、および、前記第２入力端子と前記第２出力端子との間にそれぞれ接続することを特徴とする。
【００１２】
この構成によれば、低周波成分は第２インダクタンス成分を通り、高周波成分は抵抗成分を通る。よって寄生インピーダンスのキャンセル効果を損なうことなく、抵抗成分における損失を大幅に低減することができる。また第１インダクタンス成分と第４インダクタンス成分とで対称性があるので、一対の入力端子と一対の出力端子とのいずれからノイズが入力されても、当該ノイズを低減することができる。
【００１３】
請求項３に記載の発明は、インダクタンス成分を配線または基板パターンで形成することを特徴とする。この構成によれば、第２インダクタンス成分，第３インダクタンス成分を配線または基板パターンで形成する。コイル部品を追加することなく、インダクタンス成分を付加できるので、コストを低く抑えることができる。
【００１４】
請求項４に記載の発明は、前記抵抗成分は、配線または基板パターンで形成することを特徴とする。この構成によれば、抵抗部品を追加することなく、抵抗成分を付加できるので、コストを低く抑えることができる。
【００１５】
請求項５に記載の発明は、所定の周波数帯域において、前記抵抗成分のインピーダンスが前記第２インダクタンス成分以下となるように設定することを特徴とする。この構成によれば、寄生インピーダンスのキャンセル効果を損なうことなく、抵抗成分における損失を大幅に低減することができる。
【図面の簡単な説明】
【００１６】
【図１】ノイズフィルタの第１構成例を模式的に示す回路図である。
【図２】ノイズフィルタの等価回路を示す回路図である。
【図３】インダクタンス成分を配線で形成する一例を示す斜視図である。
【図４】抵抗成分を基板パターンで形成する一例を示す斜視図である。
【図５】電流の流れを説明する回路図である。
【図６】電流と周波数との変化を示すグラフ図である。
【図７】ノイズフィルタの第２構成例を模式的に示す回路図である。
【図８】ＬＣフィルタを用いた回路例を示す図である。
【図９】ＬＣフィルタをモデル化したブロック図である。
【図１０】コンデンサおよびコイルの各等価回路を示す図である。
【図１１】従来技術のノイズフィルタを示す回路図である。
【図１２】インピーダンスと周波数との変化を示すグラフ図である。
【発明を実施するための形態】
【００１７】
以下、本発明を実施するための形態について、図面に基づいて説明する。なお、「接続する」という場合には、特に明示しない限りは電気的な接続を意味する。
【００１８】
〔実施の形態１〕
実施の形態１は、電力変換回路と直流電源との間にノイズフィルタを接続する例であって、図１〜図６を参照しながら説明する。ここで、図１にはノイズフィルタの第１構成例を模式的に回路図で示す。図２にはノイズフィルタの等価回路を示す回路図で示す。図３にはインダクタンス成分を配線で形成する一例を斜視図で示す。図４には抵抗成分を基板パターンで形成する一例を斜視図で示す。図５には電流の流れを説明する回路図で示す。図６には従来技術と本願発明におけるフィルタのノイズ低減効果とを比較したグラフ図を示す。
【００１９】
まず、図１の全体構成について簡単に説明し、ノイズフィルタ１０の構成および作用等については後述する。ノイズフィルタ１０は、電力変換回路２０と直流電源Ｅ１との間に接続される。電力変換回路２０は、ノイズフィルタ１０の入力側端子（すなわち第１入力端子Ｐ１ｉおよび第２入力端子Ｐ２ｉ）に接続する。直流電源Ｅ１は、プラス極を第１出力端子Ｐ１ｏに接続し、マイナス極を第２出力端子Ｐ２ｏに接続する。
【００２０】
電力変換回路２０は、スイッチング機能を有する半導体素子（例えばＩＧＢＴやパワートランジスタ等）によって構成されるインバータ回路を有する。この電力変換回路２０は、図示しない制御装置（例えばＥＣＵ等）から伝達される信号（例えばＰＷＭ信号等）を受けて、発電電動機３０の駆動を制御する。
【００２１】
ノイズフィルタ１０は、第１インダクタンス成分Ｌ１、第２インダクタンス成分Ｌ２，Ｌ５、第３インダクタンス成分Ｌ３，Ｌ６、第１コンデンサＣ１、第２コンデンサＣ２、抵抗成分Ｒ１，Ｒ２などを有する。
【００２２】
第１インダクタンス成分Ｌ１は、第１入力端子Ｐ１ｉに一方端を接続し、接続点Ｐａに他方端を接続する。第１コンデンサＣ１は、接続点Ｐａ（すなわち第１インダクタンス成分Ｌ１の他方端）と第２出力端子Ｐ２ｏとの間に接続する。第２コンデンサＣ２は、第２入力端子Ｐ２ｉと第１出力端子Ｐ１ｏとの間に接続する。第１コンデンサＣ１と第２コンデンサＣ２とは同一のインピーダンス特性を有し、たすき掛けするように接続する。
【００２３】
接続点Ｐａと第１出力端子Ｐ１ｏとの間には、抵抗成分Ｒ１と第３インダクタンス成分Ｌ３とを直列接続し、抵抗成分Ｒ１の両端に第２インダクタンス成分Ｌ２を並列接続する。同様に、第２入力端子Ｐ２ｉと第２出力端子Ｐ２ｏとの間には、抵抗成分Ｒ２と第３インダクタンス成分Ｌ６とを直列接続し、抵抗成分Ｒ２の両端に第２インダクタンス成分Ｌ５を並列接続する。
【００２４】
図２には、第１コンデンサＣ１および第２コンデンサＣ２についてそれぞれの等価回路を破線枠内に示す。すなわち、第１コンデンサＣ１は、コンデンサ成分Ｃａ１，等価抵抗成分Ｒａ１および等価インダクタンス成分Ｌａ１を直列接続した回路と等価である。コンデンサ成分Ｃａ１は、第１コンデンサＣ１自体の静電容量を示す。また、第２コンデンサＣ２は、コンデンサ成分Ｃａ２，等価抵抗成分Ｒａ２および等価インダクタンス成分Ｌａ２を直列接続した回路と等価である。コンデンサ成分Ｃａ２は、第２コンデンサＣ２自体の静電容量を示す。
【００２５】
抵抗成分Ｒ１，Ｒ２は、第１コンデンサＣ１および第２コンデンサＣ２の等価抵抗成分Ｒａ１，Ｒａ２と同一の抵抗値を有する。抵抗成分Ｒ１，Ｒ２は、第２インダクタンス成分Ｌ２，Ｌ５のインピーダンスの１／１０以下となるようにインピーダンスを設定する。第３インダクタンス成分Ｌ３，Ｌ６は、第１コンデンサＣ１および第２コンデンサＣ２の等価インダクタンス成分Ｌａ１，Ｌａ２と同一のインダクタンス値を有する。
【００２６】
ここで、第２インダクタンス成分Ｌ２，Ｌ５、第３インダクタンス成分Ｌ３，Ｌ６を配線または基板パターンで形成してもよい。配線で実現する例を図３に示す。当該図３に示すインダクタンス成分Ｌは、全長Ｘおよび全幅Ｙからなり、１回ループする構造となる配線である。図中に二点鎖線で示す部位は、先に配線が続くことを意味する。例えば、全長Ｘを６０[mm]とし、全幅Ｙを３０[mm]として配線を形成した場合は、１[MHz]の周波数で５４．３[nH]のインダクタンス成分が得られる。全長Ｘ、全幅Ｙおよびループ回数を変えると、他のインダクタンス成分が得られる。
【００２７】
また、抵抗成分Ｒ１，Ｒ２については、抵抗器を用いるほか、配線または基板パターンで形成してもよい。基板パターンで実現する例を図４に示す。当該図４に示す抵抗成分Ｒは、全長Ｘおよび全幅Ｙからなり、ジグザグ状に折れ曲がる構造となる基板パターンである。線幅や長さに応じて抵抗成分Ｒの抵抗値が変えられる。
【００２８】
上述のように構成したノイズフィルタ１０に対して、電力変換回路２０側からノイズを含む入力電流Ｉｎが入力された場合の作用について、図５を参照しながら説明する。入力電流Ｉｎは、例えば発電電動機３０の発電作用に伴って電力変換回路２０が送電機能を果たし、直流電源Ｅ１に向かって流れる電流である。抵抗成分Ｒ１は周波数にかかわらずインピーダンスが変化せず、第２インダクタンス成分Ｌ２は周波数が高くなるにつれてインピーダンスも大きくなる。電流はインピーダンスが小さい素子を流れようとするので、低周波成分電流ＩＬは第２インダクタンス成分Ｌ２を流れ、高周波成分電流ＩＨは抵抗成分Ｒ１を流れる。本例では第２インダクタンス成分Ｌ２と抵抗成分Ｒ１との関係について説明したが、第２インダクタンス成分Ｌ５と抵抗成分Ｒ２との関係についても同様である。
【００２９】
上述した低周波成分電流ＩＬおよび高周波成分電流ＩＨの振り分け作用を確認するため、シミュレーションを行った結果を図６に示す。このシミュレーションは、次の解析条件下で行った。入力側端子（第１入力端子Ｐ１ｉおよび第２入力端子Ｐ２ｉ）に入力する入力電圧Ｖｎを１２[V]とする。出力側端子（第１出力端子Ｐ１ｏおよび第２出力端子Ｐ２ｏ）に接続する負荷抵抗を１０[Ω]とする。第１コンデンサＣ１および第２コンデンサＣ２を１０[μF]とする。ＥＳＲを４０[mΩ]とする。ＥＳＬを２０[nH]とする。第２インダクタンス成分Ｌ２，Ｌ５を５０[nH]とする。
【００３０】
まず図６では、縦軸を低減レベル[dB]とし、横軸を周波数[Hz]として、ノイズフィルタ１０（実線）の特性を示す。また比較対象として、ＬＣフィルタ５０（一点鎖線）と、非特許文献１のフィルタ（二点鎖線）とを併せて示す。ＬＣフィルタ５０は、５００[kHz]付近を越えるとノイズの低減が低下している。ノイズフィルタ１０は、非特許文献１のフィルタはほぼ同じ特性を示す。
【００３１】
低周波数帯域（５[kHz]以下の周波数帯域）では、抵抗成分Ｒadに流れる電流は１．２[A]であるのに対して、抵抗成分Ｒ１に流れる高周波成分電流ＩＨは１[nA]に過ぎない。言い換えれば、ノイズフィルタ１０に流れる電流のほとんどが低周波成分電流ＩＬとして第２インダクタンス成分Ｌ２に流れる。したがって、抵抗に流れる低周波電流を劇的に低減することができる。
【００３２】
上述した実施の形態１によれば、以下に示す各効果を得ることができる。
【００３３】
請求項１に対応し、図１に示すノイズフィルタ１０の構成によれば、入力電流Ｉｎの低周波成分（すなわち低周波成分電流ＩＬ）は第２インダクタンス成分Ｌ２，Ｌ５を通り、入力電流Ｉｎの高周波成分（すなわち高周波成分電流ＩＨ）は抵抗成分Ｒ１，Ｒ２を通る（図５，図６を参照）。したがって、寄生インピーダンスのキャンセル効果を損なうことなく、抵抗成分Ｒ１，Ｒ２における損失を大幅に低減することができる。
【００３４】
請求項３に対応し、第２インダクタンス成分Ｌ２，Ｌ５、第３インダクタンス成分Ｌ３，Ｌ６を配線または基板パターンで形成する構成とした（図３を参照）。この構成によれば、コイル部品を追加することなく、インダクタンス成分を付加できるので、コストを低く抑えることができる。
【００３５】
請求項４に対応し、抵抗成分Ｒ１，Ｒ２は、配線または基板パターンで形成する（図４を参照）。この構成によれば、抵抗部品を追加することなく、抵抗成分Ｒ１，Ｒ２を付加できるので、コストを低く抑えることができる。
【００３６】
請求項５に対応し、所定の周波数帯域（図６の例では５００[kHz]以上の周波数帯域）において、抵抗成分Ｒ１，Ｒ２のインピーダンスが第２インダクタンス成分Ｌ２，Ｌ５のインピーダンス以下となるように設定する。この構成によれば、寄生インピーダンスのキャンセル効果を損なうことなく、抵抗成分Ｒ１，Ｒ２における損失を大幅に低減することができる。
【００３７】
〔実施の形態２〕
実施の形態２は、電力変換回路とコンバータとの間にノイズフィルタを接続する例であって、図７を参照しながら説明する。なお、ノイズフィルタの構成等は実施の形態１と同様であり、図示および説明を簡単にするために実施の形態２では実施の形態１と異なる点について説明する。よって実施の形態１で用いた要素と同一の要素には同一の符号を付して説明を省略する。
【００３８】
図７に示すノイズフィルタ１１は、図１に示すノイズフィルタ１０に代わる構成例であって、電力変換回路２０とコンバータ回路４０との間に接続する。ノイズフィルタ１１がノイズフィルタ１０と異なるのは、第４インダクタンス成分Ｌ４をさらに備えた点である。この第４インダクタンス成分Ｌ４は、第１出力端子Ｐ１ｏに一方端を接続し、接続点Ｐｂに他方端を接続する。第４インダクタンス成分Ｌ４は、第１インダクタンス成分Ｌ１と同一のインピーダンス特性を有する。これらの構成によれば、ノイズフィルタ１１はＴ型フィルタに相当する。なお、第２コンデンサＣ２は、接続点Ｐｂ（すなわち第４インダクタンス成分Ｌ４の他方端）と第２入力端子Ｐ２ｉとの間に接続する。
【００３９】
上述のように構成したノイズフィルタ１１に対して、電力変換回路２０側からノイズを含む入力電流Ｉｎ１が入力された場合と、コンバータ回路４０側からノイズを含む入力電流Ｉｎ２が入力された場合とについて説明する。入力電流Ｉｎ１は、実施の形態１における入力電流Ｉｎと同じであるので詳細な説明は省略する。
【００４０】
入力電流Ｉｎ２は、コンバータ回路４０が直流電圧を供給する際に、電力変換回路２０に向かって流れる電流である。ノイズフィルタ１１はＴ型フィルタと同等であるので、入力電流Ｉｎ２は入力電流Ｉｎ１と同様にして処理される。そのため、入力電流Ｉｎ２についても図６に示す特性が得られる。
【００４１】
上述した実施の形態２によれば、請求項２に対応し、図１に示すノイズフィルタ１０の構成によれば、入力電流Ｉｎの低周波成分（すなわち低周波成分電流ＩＬ）は第２インダクタンス成分Ｌ２，Ｌ５を通り、入力電流Ｉｎの高周波成分（すなわち高周波成分電流ＩＨ）は抵抗成分Ｒ１，Ｒ２を通る（図５，図６を参照）。したがって、寄生インピーダンスのキャンセル効果を損なうことなく、抵抗成分Ｒ１，Ｒ２における損失を大幅に低減することができる。また第１インダクタンス成分Ｌ１と第４インダクタンス成分Ｌ４とで対称性があるので、一対の入力端子（第１入力端子Ｐ１ｉおよび第２入力端子Ｐ２ｉ）と一対の出力端子（第１出力端子Ｐ１ｏおよび第２出力端子Ｐ２ｏ）とのいずれからノイズが入力されても、当該ノイズを低減することができる。
【００４２】
〔他の実施の形態〕
以上では本発明を実施するための形態について実施の形態１，２に従って説明したが、本発明は当該形態に何ら限定されるものではない。言い換えれば、本発明の要旨を逸脱しない範囲内において、種々なる形態で実施することもできる。例えば、次に示す各形態を実現してもよい。
【００４３】
実施の形態１，２では直流電源Ｅ１と電力変換回路２０との間にノイズフィルタ１０，１１を接続した。これらの形態に代えて、ノイズを出力する他の電源，他の回路，他の制御装置を接続してもよい。一対の入力端子（第１入力端子Ｐ１ｉおよび第２入力端子Ｐ２ｉ）のみからノイズを入力する場合にはノイズフィルタ１０を用いる。一対の入力端子だけでなく、一対の出力端子（第１出力端子Ｐ１ｏおよび第２出力端子Ｐ２ｏ）からもノイズを入力する場合にはノイズフィルタ１１を用いる。他の回路や他の制御装置を接続する場合であっても、実施の形態１，２と同様の作用効果を得ることができる。
【符号の説明】
【００４４】
１０  ノイズフィルタ
２０  電力変換回路
３０  発電電動機
４０  コンバータ回路
Ｅ１  直流電源
Ｃ１  第１コンデンサ
Ｃ２  第２コンデンサ
Ｒ１，Ｒ２  抵抗成分
Ｌ１  第１インダクタンス成分
Ｌ２，Ｌ５  第２インダクタンス成分
Ｌ３，Ｌ６  第３インダクタンス成分
Ｌ４  第４インダクタンス成分
Ｐ１ｉ  第１入力端子
Ｐ２ｉ  第２入力端子
Ｐ１ｏ  第１出力端子
Ｐ２ｏ  第２出力端子
Ｉｎ，Ｉｎ１，Ｉｎ２  入力電流
【図１】
2010273207.tif 000003
【図２】
2010273207.tif 000004
【図３】
2010273207.tif 000005
【図４】
2010273207.tif 000006
【図５】
2010273207.tif 000007
【図６】
2010273207.tif 000008
【図７】
2010273207.tif 000009
【図８】
2010273207.tif 000010
【図９】
2010273207.tif 000011
【図１０】
2010273207.tif 000012
【図１１】
2010273207.tif 000013
【図１２】
2010273207.tif 000014